(57)【要約】【課題】駆動回転装置と工具との固定作業の容易化を図る。【解決手段】先端に差込角を有する駆動回転装置に取付可能な工具の接続構造であって、凹部と貫通孔とを備える。凹部は、差込角を差し込み可能であり、差し込まれた差込角における面に対して面接触する接触面を２対以上有する。２対以上の貫通孔は、互いに平行な凹部の接触面を対にしてそれぞれを貫通して設けられる。【選択図】図１
2016068238.tif 000002
【特許請求の範囲】
【請求項１】
先端に差込角を有する駆動回転装置に取付可能な工具の接続構造であって、
前記差込角を差し込み可能であり、差し込まれた差込角における面に対して面接触する接触面を２対以上有する凹部と、
互いに平行な前記接触面を対にして、それぞれを貫通するように設けられた２対以上の貫通孔と、を備えた
駆動回転装置用工具接続構造。
【請求項２】
前記差込角が直方体形状または立方体形状である場合に、前記凹部の４つの前記接触面の全てに前記貫通孔が設けられる
ことを特徴とする請求項１に記載の駆動回転装置用工具接続構造。
【請求項３】
前記差込角が直方体形状または立方体形状である場合に、複数の前記貫通孔は、対向した２つの前記接触面に２対以上設けられる、
ことを特徴とする請求項１に記載の駆動回転装置用工具接続構造。
【請求項４】
先端に差込角を有する駆動回転装置に取付可能なソケットであって、
前記差込角を差し込み可能な凹部と、
前記凹部と反対側から締緩対象を挿入可能な保持部とを備え、
前記凹部には、差し込まれた差込角における面に対して面接触する接触面が２対以上設けられ、かつ互いに平行な前記接触面を対にして、それぞれを貫通するように設けられた２対以上の貫通孔が設けられた
ことを特徴とするソケット。
【請求項５】
先端に差込角を有する駆動回転装置に取付可能な切削部材であって、
前記差込角を差し込み可能な凹部と、
前記凹部と反対側の面に設けられた切削部とを備え、
前記凹部には、差し込まれた差込角における面に対して面接触する接触面が２対以上設けられ、かつ互いに平行な前記接触面を対にして、それぞれを貫通するように設けられた２対以上の貫通孔が設けられた
ことを特徴とする切削部材。
【請求項６】
先端に差込角を有する駆動回転装置と切削部材とを接続する切削部材接続装置であって、
前記差込角を差し込み可能な凹部と、
前記凹部と反対側の面に設けられ、前記切削部材を固定する固定部とを備え、
前記凹部には、差し込まれた差込角における面に対して面接触する接触面が２対以上設けられ、かつ互いに平行な前記接触面を対にして、それぞれを貫通するように設けられた２対以上の貫通孔が設けられた
ことを特徴とする切削部材接続装置。
【発明の詳細な説明】
【技術分野】
【０００１】
本発明は、駆動回転装置用工具の接続構造に関する。
【背景技術】
【０００２】
土木、建築、配管、その他工事の現場においては、複数の工具が用いられている。複数の工具としては、例えば、駆動回転装置に取り付けて使用する切削工具や締緩工具等が挙げられる。
【０００３】
駆動回転装置は、ソケット等の工具が取り付けられることにより、ボルトまたはナット等の締緩作業、あるいは対象物の切削作業を行うための装置である。駆動回転装置には、インパクトレンチ、インパクトドライバ、ドリルドライバ等の電動回転工具、あるいはエアインパクト等、様々な種類がある。
【０００４】
駆動回転装置は、内蔵バッテリー、商用電源またはエアコンプレッサー等から供給された電気や圧縮空気を動力源として、内蔵されたモーター等を回転させる。それにより、アンビル等を介してその先端部が回転され、当該先端部に接続された、ソケットやビット等が回転される。ビットの一端は駆動回転装置に嵌入され、他端には切削、研磨または締付等、用途に応じて、ドリルチャック、コアドリル、ステップドリル、ホールソー等の切削工具等が接続される。
【０００５】
駆動回転装置の動力源は、その想定される使用場所や用途に応じて異なる。例えば、自動車のタイヤの取り付け作業にエアインパクトが用いられる。エアインパクトは、エアコンプレッサーにホースを介して接続され、エアコンプレッサーからの気流に基づきモーターを回転させることにより、差込角に接続された締付部材（ソケット等）に回転トルクを与える。
【０００６】
しかしながら、このように駆動回転装置と動力源とが、ホースや電源ケーブルのような配線を介して接続される場合、駆動回転装置を使用する範囲が制限される。この点、バッテリーが内蔵された電動回転工具では、動力源が電動回転工具自体に内蔵されているので、その使用範囲が制限されにくい。このようなバッテリーが内蔵された駆動回転装置は、例えば高所作業で用いられる。
【０００７】
例えば高所作業等、作業者が作業場所を変えて作業が行われるような現場においては、作業者は、複数の工具を収納具により携帯し、状況に応じて駆動回転装置に接続する工具を取り替えて使用する。
【０００８】
例えばインパクトレンチによりボルトを締める作業の場合、締める対象のボルトのサイズが複数あれば、そのサイズに応じてソケットが取り替えられる。ソケットは、一端側に駆動回転装置の差込角（先端の突部）を受け容れる凹部を有し、他端側にナットやボルト等が挿入されることにより接続される。また差込角には、その回転軸と直交する方向に貫通孔が設けられている。またこれに対応してソケットの当該一端側（差込角挿入側）にも、ソケットの回転軸に直交する方向に貫通孔が設けられている。作業者は、インパクトレンチの差込角をソケットの凹部に差し込み、差込角の貫通孔とソケットの貫通孔とが位置合わせされた状態で固定部材（ピン等）により串刺し状に固定する。この固定により作業中にソケットがインパクトレンチから離脱することによるリスクを回避している。また、高所作業で駆動回転装置が用いられる場合においては、ソケット等が、高所から落下することにより他の作業者の安全に支障をきたすおそれを回避している。
【先行技術文献】
【特許文献】
【０００９】
【特許文献１】特開平０８−１４１９１９号公報
【特許文献２】特開２００２−２５４３３２号公報
【発明の概要】
【発明が解決しようとする課題】
【００１０】
ソケット等の工具において差込角を受け容れる凹部は、差込角の形状に対応して形成される。例えば差込角が正六面体状に形成されていれば、ソケットの凹部はその差込角を受け容れ、保持できるように正六面体状に形成される。
【００１１】
また駆動回転装置の差込角側に設けられた貫通孔は、１つであるため、それに応じて従来のソケット等の工具においても、貫通孔は１対設けられていた。
【００１２】
しかしながら、ソケット等の工具に駆動回転装置の差込角が差し込まれたとき、差込角における貫通孔が設けられている面と、工具の貫通孔とが対応しない場合がある。差込角側の貫通孔は１つであることから、差込角をソケット等の工具に差し込む角度によっては、それぞれの貫通孔の位置が対応しないことがあるためである。例えば立方体形状の差込角の場合であれば、差込角をソケット等の工具に差し込む角度を誤れば、工具の貫通孔と差込角の貫通孔とが略９０°ずれてしまい、固定部材により串刺し状に固定することはできない。
【００１３】
作業者は、ソケット等に駆動回転装置の差込角を差し込み、それぞれの貫通孔が対応した位置にないことを確認すると、一旦ソケット等を外し、再度ソケット等を差込角に差し込み直してからピン等の固定部材を挿入する作業を行う。この作業は非常に煩雑であり、作業効率を損なう原因となる。
【００１４】
例えばソケットと駆動回転装置の差込角とをピンとＯリングで固定する場合、作業者はソケット等に駆動回転装置の差込角を差し込み、ソケット側の貫通孔を塞ぐＯリングをずらしたときに貫通孔が対応していないことに気づく。この場合、作業者はＯリングを元に戻し、ソケットから駆動回転装置を外し、貫通孔の位置関係を確認してから再度ソケットに駆動回転装置の差込角を差し込み直す。その後、作業者はソケットのＯリングをずらしてピンを貫通孔に挿入し、Ｏリングを元に戻すことになる。この取り付け直しの作業により、作業効率は大幅に悪化する。
【００１５】
また、高所作業の作業者は、インパクトレンチからソケットを取り外すときに、高所からソケットを落下させてしまうことに留意しなければならない。同様に、ソケットとインパクトレンチとの接続部品を落下させてしまうことに留意しなければならない。上記のような取り付け直しの作業により、このような落下のリスクが上昇する。
【００１６】
この発明は、以上の課題に鑑みてなされたものであって、その目的は、駆動回転装置と工具との固定作業の容易化を図ることである。
【課題を解決するための手段】
【００１７】
１つの実施形態は、先端に差込角を有する駆動回転装置に取付可能な工具の接続構造であって、凹部と貫通孔とを備える。凹部は、差込角を差し込み可能であり、差し込まれた差込角における面に対して面接触する接触面を２対以上有する。２対以上の貫通孔は、互いに平行な凹部の接触面を対にしてそれぞれを貫通して設けられる。
他の実施形態は、先端に差込角を有する駆動回転装置に取付可能なソケットであって、凹部と保持部とを備える。凹部は、差込角を差し込み可能である。保持部は凹部と反対側から締緩対象を挿入可能である。凹部には、差し込まれた差込角における面に対して面接触する接触面が２対以上設けられる。また凹部には、互いに平行な接触面を対にして、それぞれを貫通して設けられた２対以上の貫通孔が設けられる。
他の実施形態は、先端に差込角を有する駆動回転装置に取付可能な切削部材であって、凹部と、切削部とを備える。凹部は、差込角を差し込み可能である。切削部は、凹部と反対側の面に設けられる。また凹部には、差し込まれた差込角における面に対して面接触する接触面が２対以上設けられる。また凹部には、互いに平行な接触面を対にして、それぞれを貫通して設けられた２対以上の貫通孔が設けられる。
他の実施形態は、先端に差込角を有する駆動回転装置と切削部材とを接続する切削部材接続装置であって、凹部と、固定部とを備える。凹部は、差込角を差し込み可能である。固定部は凹部と反対側の面に設けられ、切削部材を固定する。また凹部には、差し込まれた差込角における面に対して面接触する接触面が２対以上設けられる。また凹部には、互いに平行な接触面を対にして、それぞれを貫通して設けられた２対以上の貫通孔が設けられる。
【発明の効果】
【００１８】
実施形態の駆動回転装置用工具接続構造では、２対以上の貫通孔が、互いに平行な凹部の接触面を対にしてそれぞれを貫通するように設けられる。例えばインパクトレンチの差込角が直方体形状または立方体形状であれば、４つ設けられる。したがって、当該接続構造による工具を用いる作業者は、工具に対し駆動回転装置の差込角をどのような角度で差し込んでも、差し込みを完了しさえすれば、差込角側の貫通孔と接続構造側の貫通孔の位置が対応する。つまり、取り付け直しの作業が生じる事態を回避することができる。その結果、作業効率が悪化する状況を回避することが可能となる。また、工具を用いた駆動回転装置による作業全体を簡便にすることが可能である。
【００１９】
さらに、ソケット等の工具の取り外しに伴って、高所から工具あるいは接続部材を落下させてしまうおそれを回避するという従来の工具にはない効果を有する。
【図面の簡単な説明】
【００２０】
【図１】第１実施形態のソケットの斜視図。
【図２】第１実施形態のソケットの正面図。
【図３】第１実施形態のソケットの左側面図。
【図４】図２の概略Ａ−Ａ’断面図。
【図５】第１実施形態のソケットの右側面図。
【図６】第１実施形態のソケットの使用状態を示す正面図。
【図７】第２実施形態における切削部材接続装置の一例を示す概略斜視図。
【図８】第２実施形態における切削部材接続装置の一例を示す概略上面図。
【図９】第２実施形態における切削部材接続装置の一例を示す概略正面図。
【図１０】第２実施形態における切削部材接続装置の一例を示す概略左側面図。
【図１１】第２実施形態における切削部材接続装置の一例を示す概略右側面図。
【図１２】図９の概略Ｂ−Ｂ’断面図。
【図１３】第３実施形態における切削部材接続装置の一例を示す概略斜視図。
【図１４】第３実施形態における切削部材接続装置の一例を示す概略上面図。
【図１５】第３実施形態における切削部材接続装置の一例を示す概略正面図。
【図１６】第３実施形態における切削部材接続装置の一例を示す概略左側面図。
【図１７】第３実施形態における切削部材接続装置の一例を示す概略右側面図。
【図１８】図１５の概略Ｃ−Ｃ’断面図。
【発明を実施するための形態】
【００２１】
［第１実施形態］
（概略構成）
図１〜図６を参照して、第１実施形態にかかるソケット１００について説明する。ソケット１００は、円筒形の筐体の内部に、保持部と接続部とを有する。保持部により、締緩作業の対象となるナットが保持される。接続部は、ソケット１００をインパクトレンチＩＷ（図６参照）に接続するための部位である。図１に示す例において説明すると、ソケット１００は、上記筐体の内部に設けられた第１保持部１０、第２保持部２０、接続部３０を含んで構成される。
【００２２】
また、ソケット１００の外形を図１および図２に示す例において説明すると、ソケット１００は、筐体において最も径が大きい円柱状部分１０ａと、当該円柱状部分１０ａと連続したテーパー部１０ｂと、テーパー部１０ｂと連続した接続部３０とを含んで構成される。テーパー部１０ｂは、円柱状部分１０ａとの境界部分から次第に径が小さくなっていくテーパー面を有する。
【００２３】
ソケット１００における円柱状部分１０ａは、その内部において、円柱の軸方向（ソケット１００の一端側と他端側とを結ぶ方向）に並んで、第１保持部１０、第２保持部２０を有する。他端側（インパクトレンチの差込角嵌入部Ｈ（図５）側）には、接続部３０が設けられている。図１，図３〜図５に示すように、ソケット１００には、その筐体の軸方向における一端部から他端部へ向かう方向に凹となる開口が設けられている。その開口から当該筐体の他端部側に向かった凹部が第１保持部１０である。図１，図２および図４に示すように、筐体の当該開口は、第１保持部１０が保持しようとするボルト等のナットの形状（図６等参照）に対応するように形成される（六角、十二角、サーフェイス等）。また図３および図４に示すように、ソケット１００の一例において、円柱状部分１０ａの内側には第１保持部１０と第２保持部２０が設けられている。テーパー部１０ｂの内側には、締緩対象の先端部（ピンテール等）の収容スペースが設けられている。また、図１に示すようにソケット１００は、円柱状部分１０ａとテーパー部１０ｂと接続部３０とが一体的に形成されている。
【００２４】
（駆動回転装置）
また、以下においてソケット１００に接続される対象として適宜、駆動回転装置の説明をする。この駆動回転装置は、インパクトレンチ、あるいはエアインパクト等、その先端部に差込角を有するものとする。このような駆動回転装置は、所定の駆動源からの駆動力（電気、圧縮空気等）により、当該差込角等を回転させる。以下、ソケット１００の説明のため、駆動回転装置の一例として、バッテリーが内蔵されたインパクトレンチについて説明する。このようなインパクトレンチは、エアインパクト等と比較して、その使用場所、範囲が制限されないため、例えば高所作業等にも使用することができる。
【００２５】
駆動回転装置には、取り付けられるソケットや切削部材等を回転させるために、駆動源からの回転駆動力を受けて回転される先端部として、差込角が設けられている。差込角は、駆動回転装置から突出する凸形状に形成される。具体例として、差込角は、直方体、立方体等を象って形成される。このような駆動回転装置の差込角には、１／４インチ（約６．３５ｍｍ）、３／８インチ（約９．５ｍｍ）、１／２インチ（約１２．７ｍｍ）等の規格で定められたサイズによって様々な種類がある。例えば本実施形態のソケット１００では、その耐久性等を鑑みて、例えば１／２インチ（約１２．７ｍｍ）等の規格の差込角が接続されるように構成される。また、差込角には、ソケット１００を保持するための、貫通孔が設けられている。詳細は後述する。なお、以下において駆動回転装置の例としてインパクトレンチを挙げて説明することがあるが、各実施形態において差込角を有するものであれば、駆動回転装置はインパクトレンチに限られない。
【００２６】
＜第１保持部＞
図４および図５に示すように第１保持部１０は、ソケット１００の軸方向に沿った側面（円柱状部分１０ａの内側の面；第１の側面１ａ）が、ほぼソケット１００の筐体の開口部の形状を維持したまま、ほぼ勾配なく奥側に伸びていく形状を有する。第１保持部１０を形成する当該第１の側面１ａは所定の長さを有し、最奥端に当該側面と直交する第１の当接面１を有する。所定の長さとは、例えばソケット１００の軸方向において、トルシア型高力ボルトのナットの長さより短い。したがって、第１の側面１ａは、第１保持部１０により保持しようとするナットの側面をすべて覆わず、ナットの先端部側を保持する。
【００２７】
第１の当接面１は、第１保持部１０により保持しようとするナットの、先端面の少なくとも周縁部を保持するものである（図６参照）。すなわち、図１，図２および図４に示すように、第１の当接面１は、ソケット１００の開口部とほぼ同じ形状の外周縁を有するとともに、当該開口部に対応し、当該開口部より一回り小さい形状の内周縁を有する。前記外周縁は、保持しようとするナットを嵌入可能なサイズを有する。また図３および図４に示すように第１の当接面１の内周縁の内側は、第２保持部２０との境界部分であり、開口している。
【００２８】
なお、図３に示すように、ソケット１００の開口および第１保持部１０は、角部より辺が内側に窪んでいる。これは、第１保持部１０により保持されるナットに対し、辺の部分でナットを保持しようとするものである。これにより角部分の摩耗を防止することができる。
【００２９】
＜第２保持部＞
図４に示すように第２保持部２０は、第１保持部１０より奥側に位置し、第１保持部１０を一回り小さくしたサイズ（直径）で形成されている。第２保持部２０は、ソケット１００の軸方向に沿った第２の側面２ａが、ほぼ第１保持部１０の第１の開口の形状を維持したまま、ほぼ勾配なく奥側に伸びていく形状を有する。第２保持部２０を形成する当該第２の側面２ａは所定の長さを有し、最奥端に当該側面と直交する第２の当接面２を有する。第２の当接面２は、第２保持部２０により保持しようとするナットの、先端面の少なくとも周縁部を保持するものである。すなわち、図１，図２および図４に示すように、第２の当接面２は、第１保持部１０の第１の開口とほぼ同じ形状の外周縁を有するとともに、当該第１の開口に対応し、当該開口より一回り小さい形状の内周縁を有する。この外周縁は、保持しようとするナットを嵌入可能なサイズを有する。
【００３０】
なお、図３に示すように、第２保持部２０は、角部より辺が内側に窪んでいる。これは、第１保持部１０で説明した構成と同様の意図により構成されたものである。
【００３１】
＜接続部＞
図３〜図６に示すように接続部３０は、ソケット１００において、第１保持部１０の第１の開口と反対側に位置し、インパクトレンチの差込角（１／２規格等）が差し込まれることにより、差込角を嵌合可能なサイズで形成されている。各図の例において、接続部３０は、インパクトレンチの差込角の形状に対応した形状を有する。すなわち接続部３０は、インパクトレンチの差込角が嵌合されることにより、ソケット１００とインパクトレンチとを接続するための部位である。なお、接続部３０は「凹部」の一例に相当する。
【００３２】
図３〜図６に示すように、接続部３０は直方体または立方体等を象った箱型の凹形状に形成されている。すなわち、接続部３０は、対向する長方形または正方形の内面の対が２対設けられ、これら対は互いに直交する。これら４つの内面が柱状をなし、それぞれインパクトレンチの差込角の面に面接触する。なお、接続部３０は、インパクトレンチの差込角の形状が直方体または立方体である場合に対応するものであり、差込角が他の形状であれば、その形状に合わせて形成されるものである。
【００３３】
また接続部３０の開口（差込角嵌入部Ｈ）を、角部より辺が内側に窪むように構成してもよい。これは、接続部３０の接触面により保持される差込角に対し、角でなく面の部分で差込角を保持しようとするものである。これにより角部分の摩耗を防止することができる。
【００３４】
また接続部３０には、インパクトレンチの差込角（突部）を固定するための貫通孔の対、すなわちピンホールｐｈ１の対と、ピンホールｐｈ２の対とが設けられている。図４に示すようにピンホールｐｈ１，ｐｈ１は、接続部３０（ソケット１００の他端側）の外周部を貫通し、ソケット１００の回転軸方向に対し交差（例えば直交）するように設けられている。またピンホールｐｈ１，ｐｈ１は、ソケット１００に対する貫通方向において対向している。また、ピンホールｐｈ１，ｐｈ１は、接続部３０において互いに対向する内面（差込角に対する接触面）に対し、直交するように設けられる。
【００３５】
また、図１，図３に示すようにソケット１００の接続部３０には、ソケット１００の回転軸方向およびピンホールｐｈ１の対と直交し、かつ接続部３０の外周部を貫通するように、ピンホールｐｈ２，ｐｈ２が設けられる。またピンホールｐｈ１の対と同様に、ピンホールｐｈ２，ｐｈ２も対向しており、かつ接続部３０において互いに対向する内面に対して直交するように設けられる。
【００３６】
ピンホールｐｈ１の対またはピンホールｐｈ２の対には、その一端側から他端側に通された円柱状の接続ピン、またはピンホールを通るサイズのワイヤ部材（いわゆるインパクトレンチ用Ｃリング）等、任意の接続部材（不図示）が通される。また、インパクトレンチの差込角にもピンホールｐｈ１およびピンホールｐｈ２に対応する貫通孔が設けられている。すなわち、当該接続部材がピンホールｐｈ１の対またはピンホールｐｈ２の対と、差込角の貫通孔との双方に通され、かつ接続部材がソケット１００に対して固定されると、ソケット１００とインパクトレンチとの相対的位置関係が保持される。
【００３７】
また、図示しないが、ソケット１００とインパクトレンチの差込角とを、ピンとＯリングで固定する場合、接続部３０の外周部には、ピンホールｐｈ１およびピンホールｐｈ２を塞ぐＯリングが巻回される。これにより、ソケット１００とインパクトレンチの差込角との相対的位置関係を固定するピンがソケット１００から離脱しないようにすることができる。
【００３８】
（使用例）
次に、実施形態のソケット１００の使用例について図６を参照して説明する。以下においては、想定される使用の一例として、ソケット１００とインパクトレンチとが先に接続され、その後、第１保持部１０の開口から、トルシア型高力ボルト等が挿入されるものとして説明する。
【００３９】
＜ソケットとインパクトレンチとの固定＞
ソケット１００における接続部３０の差込角嵌入部Ｈ（図５）からインパクトレンチの差込角が挿入される。例えば作業者は差込角をソケット１００に挿入してから、接続部３０の外周部に巻回されているＯリングをずらし、固定用のピンを、ピンホールｐｈ１の対またはピンホールｐｈ２の対と、差込角の貫通孔に挿入することができる。作業者はピンを挿入した後、Ｏリングを元に戻し、ピンをソケット１００に固定する。これにより、ソケット１００とインパクトレンチの差込角との相対的位置関係が保持される。
【００４０】
＜ボルト／ナットの挿入＞
上記例の第１段階として、ソケット１００がインパクトレンチに接続される。さらに、トルシア型高力ボルト等の先端部（ピンテール等）側からソケット１００の第１保持部１０の開口に、トルシア型高力ボルト等が挿入される。
【００４１】
＜大きいサイズのナットの締緩作業＞
大きいサイズのナット等の締緩作業を行う場合、ナット等を、ソケット１００の第１保持部１０に保持させる。このとき、挿入されたナット等の側面は、第１保持部１０の第１の側面１ａに接触している。さらにナット等の先端面（ピンテール側の面）の外周側は、第１保持部１０における第１の当接面１に接触している。また、第１保持部１０にトルシア型高力ボルトのナット部分を保持させるときは、当該ナット部分がソケット１００の第１保持部１０の開口から外側へはみ出すように構成されている。
【００４２】
ソケット１００の第１保持部１０の第１の当接面１にトルシア型高力ボルトが嵌め込まれたら、作業者がインパクトレンチを操作して、その動力に応じてナットを締め付ける（図６参照）。
【００４３】
＜小さいサイズのナットの締緩作業＞
大きいサイズのトルシア型高力ボルトの締緩作業を行った後、それより小さいサイズの対応するトルシア型高力ボルトの締緩作業を行う場合、インパクトレンチに接続されたソケット１００を上記大型のトルシア型高力ボルトから取り外す。本実施形態におけるソケット１００では、ソケットの交換をすることなく、それより小さくしたサイズのトルシア型高力ボルトに使用することができる。すなわち作業者は、大型のトルシア型高力ボルトから外された、ソケット１００およびインパクトレンチを、締緩作業の対象となる、小型のトルシア型高力ボルトの位置に合わせる。
【００４４】
次に作業者は、位置合わせをした小型のトルシア型高力ボルトをソケット１００の第１保持部１０の開口から挿入する。この場合、ナット等を、第２保持部２０に保持させる。このとき、挿入されたナット等の側面は、第２保持部２０の第２の側面２ａに接触している。さらにナット等の先端面（ピンテール側の面）の外周側は、第２保持部２０における第２の当接面２に接触している。また、第２保持部２０にトルシア型高力ボルトのナット部分を保持させるときは、トルシア型高力ボルトのピンテールがテーパー部１０ｂの内側に収容される。
【００４５】
作業者は、ソケット１００の第２保持部２０まで、小型トルシア型高力ボルトのナット部分を押し込み、当該ナット部分を第２保持部２０に嵌め込んだら、インパクトレンチの駆動に応じて締緩作業を行うことができる。
【００４６】
以上、一例として大きいサイズのトルシア型高力ボルトの締緩作業を行ってから、小さいサイズのトルシア型高力ボルトの締緩作業を行う順序で使用例を説明したが、その逆の順序で、それぞれ締緩作業を行うことも可能である。
【００４７】
（作用・効果）
以上説明した実施形態にかかるソケット１００の作用および効果について説明する。
【００４８】
以上説明したように、第１実施形態におけるソケット１００の駆動回転装置用工具接続構造では、ピンホールｐｈ１の対と、ピンホールｐｈ２の対とが、互いに平行な接続部３０の内面（差込角との接触面）を対にしてそれぞれを貫通するように設けられている。例えばインパクトレンチの差込角が直方体形状または立方体形状であれば、接続部３０の外周まわりに９０°間隔でピンホールが４つ設けられる。
【００４９】
したがって、当該ソケット１００を用いる作業者は、ソケット１００に対しインパクトレンチの差込角をどのような角度で差し込んでも、差し込みを完了しさえすれば、差込角側の貫通孔とソケット１００側のピンホールの対の位置が合わせられた状態となる。つまり、取り付け直しの作業が生じる事態を回避することができる。さらに、このような接続構造を有する工具では、取付作業の度に、ソケット１００のピンホールと差込角の貫通孔とが合うように視認してから取り付けなくても、ソケット１００にインパクトレンチを取り付けるだけで、それぞれの位置が合わせられる。その結果、作業効率が悪化する状況を回避することが可能となる。また、工具を用いた駆動回転装置による作業全体を簡便にすることが可能である。
【００５０】
さらに、ソケットの取り外しに伴って、高所からソケットを落下させてしまうおそれを回避するという、従来のソケットにはない効果を有する。またソケットとインパクトレンチとの接続部品を落下させてしまうことも防止することができる。
【００５１】
なお、実施形態の説明の理解のために示した各図において、破線で示した部分がある。この部分は、任意の他の形状に置き換えることが可能である。ただし、高所作業の作業者はインパクトレンチ、ソケットおよびトルシア型高力ボルトの他にも複数の工具等を所持している場合がある。このような場合、ソケットが重ければ重いほど、高所作業に支障をきたすおそれがある。またソケットは、インパクトレンチの先端に接続されるため、先端が重くなればなるほど、締緩作業に支障をきたすおそれがある。
【００５２】
この点、上述の各図におけるソケット１００においては、ソケット１００の軽量化を図るためインパクトレンチとの接続部分に向かって徐々に細くなっていくように構成されている。このような構成によれば、ソケットの軽量化を図ることができ、上記のような問題を解消することが可能である。
【００５３】
［変形例１］
第１実施形態においては、第１保持部１０および第２保持部２０により、異なるサイズのナットを保持できるように構成されているが、本実施形態はこれに限られない。例えば、ナットの保持部は１つだけであってもよい。
【００５４】
［第２実施形態］
次に第２実施形態にかかる切削部材接続装置１０００の全体構成について図７〜図１２を参照して説明する。図７〜図１１において、第２実施形態にかかる切削部材接続装置１０００の、斜視、上面、正面、右側面、左側面の概略を示す。また図１２において、切削部材接続装置１０００の断面を示す。この図１２に示す断面図は、切削部材接続装置１０００の軸方向に沿ったものであり、具体的には、図９のＢ−Ｂ’断面である。
【００５５】
なお、当該各図および以下の説明において、切削部材接続装置１０００に接続される切削部材の軸方向を左右方向とする。また、その左右方向を基準として上下方向、前後方向を説明する。また、切削部材接続装置１０００の前側の面を「正面」、正面の反対側の面を「背面」と説明することがある。ただし、これら各方向は、実施形態の説明の便宜上設定されたものであり、切削部材接続装置１０００の使用状態等を特定しようとするものではなく、上下、前後、左右は、その時の状態により適宜変更されうるものである。
【００５６】
（切削部材）
また、以下における切削部材としては、ドリルチャック、コアドリル、ステップドリル、ホールソー等が挙げられる。これら切削部材は、駆動回転装置と接続された状態で、駆動回転装置から出力された回転トルクを受けて回転されることにより、対象物の切削に用いることができる。また一例として、これら切削部材は、その軸方向と実質的に直交する方向の長さ（直径、幅）が、従来のビットやＳＤＳ等より、長い（大径である）ものとして説明する。
【００５７】
（切削部材接続装置の概要）
図７〜図１０に示す例において、切削部材接続装置１０００は、インパクトレンチ等の駆動回転装置と、切削部材とを接続するための接続部材である。切削部材接続装置１０００は、本体部１１００と、本体部１１００に接続された固定部１１１０とを有する。本体部１１００において駆動回転装置の差込角をその内部に受け容れることにより、切削部材接続装置１０００と駆動回転装置とが接続される。固定部１１１０は、本体部１１００における、駆動回転装置と接続される側と反対側に設けられ、切削部材接続装置１０００と切削部材との接続に用いられる。
【００５８】
＜本体部＞
図７に示すように、切削部材接続装置１０００の一例において、本体部１１００は円柱状に形成されている。また図７〜図１０に示すように、その円柱状の本体部１１００の一端側には、切削部材を固定する固定部１１１０が設けられている。また本体部１１００の他端側には、駆動回転装置の差込角を収容する収容部１１２０が設けられている。なお、下記の収容部１１２０は、本発明の「凹部」の一例に該当する。
【００５９】
《固定部》
固定部１１１０は、図８および図９等に示す例において、本体部１１００の一端面から突出する雄ねじである。また図１０に示すように、固定部１１１０は、駆動回転装置により回転される本体部１１００の軸中心と、中心を共有している。このような固定部１１１０は、切削部材に設けられた雌ねじ部に螺合（螺着）することにより、切削部材の後端部を固定する。また、固定部１１１０のネジ山は、切削部材の回転方向と逆方向に設けられる。例えば、切削部材の回転方向が右回転であれば、ネジは左ねじとなる。
【００６０】
なお、固定部１１１０の構成としてはこのような構成に限られず、上記本体部１１００の一端面に設けられた雌ネジ部であってもよい。ただし、固定部１１１０を雄ねじ部として構成する場合、固定部１１１０が雌ねじ部である構成と比較して、次のようなメリットがある。
【００６１】
例えば切削部材側に雄ねじを設けると、固定部１１１０に当該雄ねじに螺合する雌ねじを設ける必要が生じる。この点、図１２を参照すると明らかなように、本体部１１００に雌ねじ部を設けた分、切削部材接続装置１０００の軸方向の長さが長くなる。作業者にとって、差込角から切削部材の先端に至るまでの長さが、長ければ長くなるほど、切削作業における取り回しが悪くなる。その結果、切削作業の効率が悪化、あるいは作業負担が増大する。
【００６２】
これに対し、回転軸方向において、切削部材は、切削部材接続装置１０００に対して少なくとも２倍以上の長さを有する。したがって、切削部材側に雌ねじ部を設けても、差込角（すなわち切削部材接続装置１０００の後端部（開口部）側）から、切削部材の先端部までの長さに影響しにくい。このような観点から、切削部材接続装置１０００においては、固定部１１１０が雄ねじとして構成されている。その結果、図示の通り、収容部１１２０の最奥部と、固定部１１１０の基端とを近接させ、その長さをできる限り短くすることが可能である。
【００６３】
また、固定部１１１０の構成としてはこのような構成に限られず、上記切削部材接続装置１０００と切削部材とをボールジョイント（鋼球の出没をばね部材で制御する構造。特願２０１４−１８５６９１号参照）により固定する構成であってもよい。
【００６４】
固定部１１１０と切削部材とが接続されると、本体部１１００の切削部材側の面の少なくとも一部と、切削部材における本体部１１００側の面とが面接触する。このような構成によれば、従来の軸部材で接続された切削部材接続装置と比較して、応力は接触面に分散し、局所的な応力集中を防止することが可能である。
【００６５】
《収容部》
上述のように、本体部１１００における、固定部１１１０が設けられた一端面に対する他端面には、収容部１１２０が設けられている。例えば図８の破線部、図９の破線部および図１１に示すように、本体部１１００の他端面は開口しており、その開口から本体部１１００の軸方向における当該一端面側（固定部１１１０の先端）へ向かう方向に窪んだ凹形状の空間が設けられている。この空間には、駆動回転装置の差込角が収容される。本体部１１００において、この空間を画成する領域を収容部１１２０として説明する。
【００６６】
収容部１１２０の形状は、駆動回転装置の差込角の外形に対応するように形成される。上記の例のように、差込角が直方体形状であれば、収容部１１２０の形状は、直方体形状に応じた形状に形成される。ただし、本実施形態における切削部材接続装置１０００においては、収容部１１２０の開口および内部空間を形成する側面が例えば、図１１のように形成される。
【００６７】
この収容部１１２０の開口の形状について図７，図１１および図１２を参照して説明する。図７および図１１に示すように、この開口は、角部より辺が内側に窪んでいる。具体的には、長方形の角部の角が取られて角が弧状に形成され、四辺の中央位置を中心に内側に湾曲している。これは、収容部１１２０に収容される差込角の側面を、角部でなく、辺あるいは面の部分で保持しようとするものである。これにより差込角の回転時に、差込角の角部が収容部１１２０の角部分に接触しがたく、収容部１１２０の角部の摩耗を防止することができる。
【００６８】
収容部１１２０は、この開口の形状を維持したまま、本体部１１００の内側に凹んでおり、収容部１１２０の内部空間を形成する内側の４つの側面（正面側、背面側、上面側、下面側）は、本体部１１００の軸方向に対し、ほぼ勾配なく平行に形成されている（図１２参照）。当該軸方向における、これら内側の４つの側面の長さ（奥行）は、差込角が駆動回転装置から突出する長さに対応して形成される。
【００６９】
《溝部》
図７〜図９および図１２に示すように、円柱状の本体部１１００には、外周面に沿った溝部１１００ａが設けられている。また図７，図８および図１２に示すように、本体部１１００の溝部１１００ａには、本体部１１００の軸方向に直交（実質的に直交）し、収容部１１２０を通り、反対側（対向する）面を貫通する貫通孔１２００ａ、１２００ｂの対と、貫通孔１２００ｃ、１２００ｄの対とが設けられている。一般に、インパクトレンチ等の駆動回転装置の差込角の一側面およびその一側面と反対側の側面には、差込角の突出方向に直交する方向に、固定用の貫通孔が設けられている。したがって、切削部材接続装置１０００の本体部１１００の貫通孔１２００ａ、１２００ｂの対と、貫通孔１２００ｃ、１２００ｄの対とは、収容部１１２０に収容された差込角における当該貫通孔に対応する位置に設けられる。
【００７０】
すなわち、図１２に示すように貫通孔１２００ａ、１２００ｂは、溝部１１００ａ（切削部材接続装置１０００の左端側）の外周部を貫通し、切削部材接続装置１０００の回転軸方向に対し交差（例えば直交）するように設けられている。また貫通孔１２００ａ、１２００ｂは、切削部材接続装置１０００に対する貫通方向において対向している。また、図７に示すように貫通孔１２００ａ、１２００ｂは、収容部１１２０において互いに対向する内面（差込角に対する接触面）に対し、直交するように設けられる。
【００７１】
また、図７〜図９および図１２に示すように切削部材接続装置１０００の本体部１１００の左端側には、切削部材接続装置１０００の回転軸方向および貫通孔１２００ａ、１２００ｂの対と直交し、かつ接続部３０の外周部を貫通するように、貫通孔１２００ｃ、１２００ｄの対が設けられる。また貫通孔１２００ａ、１２００ｂの対と同様に、貫通孔１２００ｃ、１２００ｄも対向しており、かつ収容部１１２０において互いに対向する内面に対して直交するように設けられる。
【００７２】
貫通孔１２００ａから貫通孔１２００ｂまで、あるいは貫通孔１２００ｃから貫通孔１２００ｄまで、その右側から左側に通された円柱状の接続ピン等、任意の接続部材（不図示）が通される。
【００７３】
例えば、収容部１１２０に差込角が収容されている状態で、溝部１１００ａの貫通孔１２００ａの一方の開口から、差込角固定用のピンが通されると、対応する位置にある差込角の貫通孔にも当該ピンが通される。このピンは、差込角を通過し、貫通孔１２００ｂまで到達する。この状態において、作業者等が、溝部１１００ａの形状に対応した円環状のピン固定部材（いわゆるＯリング）を溝部１１００ａに嵌るように係合させると、溝部１１００ａごと貫通孔１２００ａが塞がれる。その結果、ピンが貫通孔１２００ａおよび貫通孔１２００ｂに保持される。このようにしてピンが貫通孔１２００ａおよび貫通孔１２００ｂに保持されることにより、切削部材接続装置１０００と差込角との相対的位置関係が保持される。なお、上記円環状のピン固定部材は、ゴム等の弾性部材である。
【００７４】
また、切削部材接続装置１０００と差込角との固定は、上記構成に限られない。例えば、貫通孔１２００ａおよび差込角の貫通孔を通るサイズのワイヤ部材（いわゆるインパクトレンチ用Ｃリング）を、貫通孔１２００ａおよび差込角の貫通孔に通して、両者の固定を行ってもよい。また、貫通孔による固定でなく、ボールジョイント（鋼球の出没をばね部材で制御する構造。特願２０１４−１８５６９１号参照）等の固定方法であってもよい。
【００７５】
駆動回転装置の差込角と、切削部材接続装置１０００とは、少なくとも差込角の側面と、収容部１１２０の内側の面とで面接触するので、応力は分散し、局所的な応力集中を防止することが可能である。
【００７６】
（作用・効果）
【００７７】
第２実施形態における切削部材接続装置１０００の駆動回転装置用工具接続構造では、貫通孔１２００ａおよび貫通孔１２００ｂの対と、貫通孔１２００ｃ、１２００ｄの対とが、互いに平行な収容部１１２０の内面（差込角との接触面）を対にしてそれぞれを貫通するように設けられている。例えばインパクトレンチの差込角が直方体形状または立方体形状であれば、収容部１１２０の外周まわり（溝部１１００ａ）に９０°間隔で貫通孔が４つ設けられる。
【００７８】
したがって、当該切削部材接続装置１０００を用いる作業者は、切削部材接続装置１０００に対しインパクトレンチの差込角をどのような角度で差し込んでも、差し込みを完了しさえすれば、差込角側の貫通孔と切削部材接続装置１０００側の貫通孔の対の位置が合わせられた状態となる。つまり、取り付け直しの作業が生じる事態を回避することができる。さらに、このような接続構造を有する工具では、取付作業の度に、切削部材接続装置１０００の貫通孔と差込角の貫通孔とが合うように視認してから取り付けなくても、切削部材接続装置１０００にインパクトレンチを取り付けるだけで、それぞれの位置が合わせられる。その結果、作業効率が悪化する状況を回避することが可能となる。また、工具を用いた駆動回転装置による作業全体を簡便にすることが可能である。
【００７９】
さらに、切削部材接続装置１０００の取り外しに伴って、高所から切削部材接続装置１０００を落下させてしまうおそれを回避するという、従来の切削部材接続装置にはない効果を有する。また切削部材接続装置とインパクトレンチとの接続部品（ピン等）を落下させてしまうことも防止することができる。
【００８０】
また、第２実施形態の切削部材接続装置１０００によれば、差込角を収容し、差込角の側面と面接触する収容部１１２０が設けられている。このような構成によれば、差込角と切削部材接続装置１０００との間の接続において、局所的な応力集中を防止することが可能である。さらに切削部材接続装置１０００によれば、切削部材における後端面と面接触しつつ固定部１１１で切削部材を固定できる。このような構成によれば、切削部材と切削部材接続装置１０００との間の接続において、局所的な応力集中を防止することが可能である。
【００８１】
小径の軸部材であり、かつ駆動回転装置および切削部材との接触面が少ない、従来のようなビット、ＳＤＳといった軸部材では、構造的に局所的な応力集中を回避することが困難であった。そのため、従来は軸部材に特殊な加工、材料等を使用することで耐久性を確保しようとしており、コストがかかっていた。また、これらの解決手段では、軸部材の耐久性を確保することが困難であった。これに対し、本実施形態における切削部材接続装置１０００は、構造的に応力集中を回避することができるため、接続構造の耐久性を大幅に向上させることが可能となった。
【００８２】
さらにビット等の軸部材は、切り欠き（くびれを含む）を有する。切欠きがあると、その部分に応力が集中し、大きくなる。すなわち、切欠きがないものより耐久性が低く、折れ等の破損が生じる原因となる。切削部材接続装置１０００では駆動回転装置からの回転駆動力による応力がかかることが想定される箇所においては切り欠きを設ける必然性がない。この点においても、切削部材接続装置１０００は、回転駆動力による応力集中等で破損するおそれを防止している。
【００８３】
さらに、従来の小径の軸部材では、局所的な応力集中を防ぐため、回転軸方向において所定の長さを確保する必要があった。これに対し、切削部材接続装置１０００は回転軸方向の長さを確保しなくても、上述の通り構造的に局所的な応力集中を防止している。したがって、差込角から切削部材の先端までの長さを可能な限り短くできる。
【００８４】
これにより、切削作業における取り回しを改善し、作業効率の向上、作業負担の軽減を図ることができる。また、高所作業をする作業者は、破損等により、切削部材が駆動回転装置から外れてしまうことを想定し、切削部材と駆動回転装置とを粘着テープ等で巻回して固定している。従来は、高所作業中に破損等により、切削部材が駆動回転装置から外れてしまうと、巻かれた粘着テープを外し、さらに、折れたビット等の軸部材を、駆動回転装置から取り外す等の作業をしなければならなかった。これらの作業は非常に煩雑であり、高所作業の負担増大、作業効率の悪化を招いていた。しかしながら、本実施形態における切削部材接続構造においては、まず、破損等を従来の軸部材より大幅に軽減させており、またビット等の軸部材と異なり、駆動回転装置と切削部材接続構造との固定構造が簡易かつ確実である。したがって、従来のような高所作業の負担増大、作業効率の悪化は、この点においても、解消されている。
【００８５】
［第３実施形態］
第３実施形態にかかる切削部材２００の全体構成について図１３〜図１８を参照して説明する。図１３〜図１７において、第３実施形態にかかる切削部材２００の、斜視、上面、正面、右側面、左側面の概略を示す。また図１８において、切削部材２００の断面を示す。この図１８に示す断面図は、切削部材２００の軸方向に沿ったものであり、具体的には、図１５のＣ−Ｃ’断面である。
【００８６】
なお、当該各図および以下の説明において、切削部材２００の軸方向を左右方向とする。第２実施形態と同様に、その左右方向を基準として上下、左右、正面、背面の説明を行う場合がある。ただし、上下、前後、左右は、その時の状態により適宜変更されうるものである点も第２実施形態と同様である。
【００８７】
以下の説明において、第２実施形態と重複する説明は割愛する。
【００８８】
（切削部材）
第３実施形態における切削部材２００は、切削部材接続装置１０００のような、別体の接続構造（アタッチメント部材）を介さず、直接、駆動回転装置の差込角に接続される。すなわち、切削部材２００は、切削部分と、駆動回転装置への接続構造部分とを有する。図１３に示すように、切削部材２００において接続構造部分と、切削部材とは、鍛造等により一体的に形成される。
【００８９】
《収容部》
図１３〜図１８に示すように、切削部材２００において切削側部分の先端（図１４および図１５における切削部材２００の左端）に対する他端面には、収容部２１２が設けられている。なお、収容部２１２は、第２実施形態における収容部１１２０と同様の構成を有するものである。したがって、切削部材２００の後端面（駆動回転装置の差込角側の面）は、切削部材２００の切削先端部に向かって開口しており、その開口から凹形状の空間が設けられ、駆動回転装置の差込角が収容される。
【００９０】
収容部２１２の形状は、駆動回転装置の差込角の外形に対応してするように形成される。上記の例のように、差込角が直方体形状であれば、収容部２１２の形状は、直方体形状に応じた形状に形成される。ただし、本実施形態における切削部材接続構造２００においては、収容部２１２の開口および内部空間を形成する側面が、例えば図１７のように形成される。この収容部２１２の開口の形状については、第２実施形態と同様である。つまり収容部２１２により収容される差込角の側面を、辺あるいは面の部分で保持しようとすることで、差込角の回転時に、差込角の角部が収容部２１２の角部分に接触しがたく、収容部２１２の角部の摩耗を防止することができる。また、収容部２１２の内部構造も第２実施形態の収容部１１２０と同様である。
【００９１】
《溝部》
図１３〜図１５および図１８に示すように、切削部材２００の接続構造側は円柱状に形成されている。その切削部材２００の接続構造部分には、その外周面に沿った溝部２１０ａが設けられている。また図１３，図１４および図１８に示すように、当該接続構造部分の溝部２１０ａには、軸方向に直交（実質的に直交）し、収容部２１２を通り、反対側（対向する）面を貫通する貫通孔２２０ａ、２２０ｂの対と、貫通孔２２０ｃ、２２０ｄの対とが設けられている。これは貫通孔１２００ａおよび貫通孔１２００ｂの対、貫通孔２２０ｃ、２２０ｄの対と同様の構成を有するものである。
【００９２】
したがって、貫通孔２２０ａ等についても、上記のような各種変形が可能であり、ボールジョイント（鋼球の出没をばね部材で制御する構造。特願２０１４−１８５６９１号参照）等の固定方法であってもよい。
【００９３】
駆動回転装置の差込角と、切削部材２００とは、少なくとも差込角の側面と、収容部２１２の内側の面とで面接触するので、応力は分散し、局所的な応力集中を防止することが可能である。
【００９４】
（作用・効果）
第３実施形態の切削部材２００の駆動回転装置用工具接続構造では、貫通孔２２０ａ、２２０ｂの対と、貫通孔２２０ｃ、２２０ｄの対とが、互いに平行な収容部２１２の内面（差込角との接触面）を対にしてそれぞれを貫通するように設けられている。例えばインパクトレンチの差込角が直方体形状または立方体形状であれば、収容部２１２の外周まわり（溝部２１０ａ）に９０°間隔で貫通孔が４つ設けられる。
【００９５】
したがって、当該切削部材２００を用いる作業者は、切削部材２００に対しインパクトレンチの差込角をどのような角度で差し込んでも、差し込みを完了しさえすれば、差込角側の貫通孔と切削部材２００側の貫通孔の対の位置が合わせられた状態となる。つまり、取り付け直しの作業が生じる事態を回避することができる。さらに、このような接続構造を有する工具では、取付作業の度に、切削部材２００の貫通孔と差込角の貫通孔とが合うように視認してから取り付けなくても、切削部材接続装置１０００にインパクトレンチを取り付けるだけで、それぞれの位置が合わせられる。その結果、作業効率が悪化する状況を回避することが可能となる。また、工具を用いた駆動回転装置による作業全体を簡便にすることが可能である。
【００９６】
さらに、切削部材２００の取り外しに伴って、高所から切削部材２００を落下させてしまうおそれを回避するという、従来の切削部材接続装置にはない効果を有する。また切削部材接続装置とインパクトレンチとの接続部品（ピン等）を落下させてしまうことも防止することができる。
【００９７】
また、第３実施形態の切削部材２００には、切削部側の先端に対する後端側に、差込角を収容し、差込角の側面と面接触する収容部が設けられている。このような構成によれば、差込角と切削部材接続装置１０００との間の接続において、局所的な応力集中を防止することが可能である。
【００９８】
さらに、切削部材と接続構造との固定にかかる構成が不要であるため、従来のビット等の軸部材については言うまでもなく、第２実施形態の切削部材接続装置１０００と比較しても、軸方向における長さを低減することができ、かつ切削作業における取り回しを改善し、作業効率の向上、作業負担の軽減を図っている。
【００９９】
この発明の実施形態を説明したが、上記の実施形態は例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。例えば切削部材２００としてはステップドリルを示したが、ドリルチャック、コアドリル、ステップドリル、ホールソー等に置き換えることが可能である。これら実施形態やその変形は、発明の範囲や要旨に含まれるとともに、特許請求の範囲に記載された発明とその均等の範囲に含まれる。
【符号の説明】
【０１００】
１                            第１の当接面
１ａ                          第１の側面
２                            第２の当接面
２ａ                          第２の側面
１０                          第１保持部
１０ａ                        円柱状部分
１０ｂ                        テーパー部
２０                          第２保持部
３０                          接続部
１００                        ソケット
ＩＷ                          インパクトレンチ
ｐｈ１〜２                    ピンホール
１０００                      切削部材接続構造
１１００                      本体部
１１００ａ，２１０ａ          溝部
１１２０，２１２              収容部
１２００ａ〜ｄ，２２０ａ〜ｄ  貫通孔
２００                        切削部材
【図１】
2016068238.tif 000003
【図２】
2016068238.tif 000004
【図３】
2016068238.tif 000005
【図４】
2016068238.tif 000006
【図５】
2016068238.tif 000007
【図６】
2016068238.tif 000008
【図７】
2016068238.tif 000009
【図８】
2016068238.tif 000010
【図９】
2016068238.tif 000011
【図１０】
2016068238.tif 000012
【図１１】
2016068238.tif 000013
【図１２】
2016068238.tif 000014
【図１３】
2016068238.tif 000015
【図１４】
2016068238.tif 000016
【図１５】
2016068238.tif 000017
【図１６】
2016068238.tif 000018
【図１７】
2016068238.tif 000019
【図１８】
2016068238.tif 000020